(57)【要約】【課題】パワーデバイスを構成したベアチップと他のベアチップとを積層し、該パワーデバイスにおいて所定の放熱（排熱）性能を確保できるようにする。【解決手段】縦型構造で形成された１つの上アーム側パワーデバイス（130）を有した複数の第１ベアチップ（10）を設ける。また、少なくとも１つの素子が形成された１つ又は複数の第２ベアチップ（11）を設ける。これらの第２ベアチップ（11）は、第１ベアチップ（10）上に積層する。そして、第１ベアチップ（10）は、絶縁破壊電界（Eb）×熱伝導率（λ）の値が、シリコンよりも大きな半導体を主材料として形成する。【選択図】図３
2011036017.tif 000002
【特許請求の範囲】
【請求項１】
縦型構造で形成された１つのパワーデバイス（130）を有した第１ベアチップ（10）と、
少なくとも１つの素子が形成された１つ又は複数の第２ベアチップ（11）と、
を備え、
前記第２ベアチップ（11）は、前記第１ベアチップ（10）上に積層され、
前記第１ベアチップ（10）は、絶縁破壊電界（Eb）×熱伝導率（λ）の値が、シリコンよりも大きな半導体を主材料としていることを特徴とする電力変換装置。
【請求項２】
請求項１の電力変換装置において、
それぞれの第２ベアチップ（11）は、リードフレーム（60）を挟んで前記第１ベアチップ（10）上に積層されていることを特徴とする電力変換装置。
【請求項３】
請求項１の電力変換装置において、
基板（20）上に形成され、複数の前記第１ベアチップ（10）を、直接又はヒートスプレッダ（50）を介して搭載し、搭載した第１ベアチップ（10）のパワーデバイス（130）同士を互いに電気的に並列接続する配線部材（41）を備え、
それぞれの第２ベアチップ（11）には、積層相手のパワーデバイス（130）に電気的に直列接続されるパワーデバイス（140）が１つずつ形成されていることを特徴とする電力変換装置。
【請求項４】
請求項３の電力変換装置において、
前記第２ベアチップ（11）同士を橋渡しして接続するリードフレーム（80）をさらに備えていることを特徴とする電力変換装置。
【請求項５】
請求項３の電力変換装置において、さらに、
前記基板（20）上に設けられて、直流電源（110）の負側ノード（N）に繋がる負側パターン配線（40）と、
それぞれの第２ベアチップ（11）を前記負側パターン配線（40）に電気的に接続する複数のボンディングワイヤ（70）と、
を備えていることを特徴とする電力変換装置。
【請求項６】
請求項１から請求項５のうちの何れか１つの電力変換装置において、
前記第２ベアチップ（11）のチップ面積は、前記第１ベアチップ（10）の面積よりも小さいことを特徴とする電力変換装置。
【請求項７】
請求項１から請求項６のうちの何れか１つの電力変換装置において、
前記第１ベアチップ（10）は、窒化ガリウム、炭化ケイ素、及びダイヤモンドのうちの何れかを主材料としていることを特徴とする電力変換装置。
【請求項８】
請求項１から請求項７のうちの何れか１つの電力変換装置において、
前記第２ベアチップ（11）は、絶縁破壊電界（Eb）×熱伝導率（λ）の値が、シリコンよりも大きな半導体を主材料としていることを特徴とする電力変換装置。
【請求項９】
請求項８の電力変換装置において、
前記第２ベアチップ（11）は、窒化ガリウム、炭化ケイ素、及びダイヤモンドのうちの何れかを主材料としていることを特徴とする電力変換装置。
【発明の詳細な説明】
【技術分野】
【０００１】
本発明は、直流電力又は交流電力から所望の直流電力又は交流電力への変換を行う電力変換装置に関するものである。
【背景技術】
【０００２】
半導体装置の分野では、その小型化（高密度化）が求められることが多い。例えば、空気調和機の電動機に電力を供給するため等に用いられる電力変換装置（インバータ回路等）のようにパワーデバイスを含んだ半導体装置の分野では、例えば、パワーデバイス等の素子を絶縁性樹脂に封入して回路装置（いわばパッケージ）を構成し、その回路装置の裏面に、別の回路装置を実装して小型化を図った例がある（例えば特許文献１を参照）。
【０００３】
一方、情報処理装置等のように微小な信号を扱う半導体装置では、スタックドＣＳＰ（Chip Size Package）とよばれる技術で半導体装置が形成されることがある。この技術は、ベアチップ同士を積層することによって、半導体装置の小型化を図るものである。
【先行技術文献】
【特許文献】
【０００４】
【特許文献１】特開２００３−２２９５３５号公報
【発明の概要】
【発明が解決しようとする課題】
【０００５】
上記のように、ベアチップを積層する技術を、パワーデバイスを含んだ半導体装置にも適用すれば、特許文献１の例よりも、電力変換装置のさらなる小型化が可能になるとも考えられる。
【０００６】
しかしながら、ベアチップ同士を積層した状態では、下方側のベアチップが上方側のベアチップで生じる排熱の伝熱経路となるため、下方側のベアチップの熱抵抗により放熱（排熱）性能が低下する。また他方のベアチップからの発熱により過熱され、双方のベアチップの温度が上がりがちになる。そのため、発熱量が大きいパワーデバイスの上に他のベアチップを積層すると、パワーデバイスの温度が不要に上昇してしまう可能性がある。特に、シリコンを主材料として構成された一般的なパワーデバイスでは、積層して使用すると、パワーデバイスの温度がその耐熱温度を超える可能性がある。そのため、積層状態でこれを安定動作させるには、パワーデバイスに流れる電流を制限する必要があると考えられる。
【０００７】
本発明は上記の問題に着目してなされたものであり、パワーデバイスを構成したベアチップと他のベアチップとを積層し、該パワーデバイスにおいて所定の放熱（排熱）性能を確保できるようにすることを目的としている。
【課題を解決するための手段】
【０００８】
上記の課題を解決するため、第１の発明は、
縦型構造で形成された１つのパワーデバイス（130）を有した第１ベアチップ（10）と、
少なくとも１つの素子が形成された１つ又は複数の第２ベアチップ（11）と、
を備え、
前記第２ベアチップ（11）は、前記第１ベアチップ（10）上に積層され、
前記第１ベアチップ（10）は、絶縁破壊電界（Eb）×熱伝導率（λ）の値が、シリコンよりも大きな半導体を主材料としていることを特徴とする電力変換装置である。
【０００９】
この構成では、絶縁破壊電界（Eb）×熱伝導率（λ）という新たな指標を導入し、その指標が、シリコンよりも大きな半導体で、第１ベアチップ（10）（パワーデバイス（130））を形成した。このようにすることで、本発明の電力変換装置では、例えば、熱伝導率（λ）の値が小さくても絶縁破壊電界（Eb）の値が所定以上の材料が、第１ベアチップ（10）に採用されることになる。これにより、第１ベアチップ（10）の厚さを十分に薄くすることができ、シリコンを主材料としたベアチップ（以下、Ｓｉベアチップ）よりも熱抵抗を小さくすることが可能になる。逆に絶縁破壊電界（Eb）の値が小さくても熱伝導率（λ）の値が所定以上の材料が、第１ベアチップ（10）に採用されることになる。そのため、例えば耐圧を確保するために第１ベアチップ（10）を厚くしても、やはり、Ｓｉベアチップよりも熱抵抗を小さくすることが可能になる。すなわち、本発明によれば、第１ベアチップ（10）の熱抵抗を、Ｓｉベアチップよりも低減させることが可能になる。
【００１０】
また、第２の発明は、
第１の発明の電力変換装置において、
それぞれの第２ベアチップ（11）は、リードフレーム（60）を挟んで前記第１ベアチップ（10）上に積層されていることを特徴とする。
【００１１】
この構成により、２つのベアチップ（10,11）の合わせ面にある電極を、他の素子や配線部材と接続する等のために、引き出すことができる。
【００１２】
また、第３の発明は、
第１の発明の電力変換装置において、
基板（20）上に形成され、複数の前記第１ベアチップ（10）を、直接又はヒートスプレッダ（50）を介して搭載し、搭載した第１ベアチップ（10）のパワーデバイス（130）同士を互いに電気的に並列接続する配線部材（41）を備え、
それぞれの第２ベアチップ（11）には、積層相手のパワーデバイス（130）に電気的に直列接続されるパワーデバイス（140）が１つずつ形成されていることを特徴とする。
【００１３】
この構成では、いわゆるインバータ回路が構成される。すなわち、第１ベアチップ（10）のパワーデバイス（130）同士が並列接続されることでインバータ回路の上アームが構成される。また、上アームを構成するパワーデバイス（130）に、第２ベアチップ（11）のパワーデバイス（140）が直列接続されているので、第２ベアチップ（11）のパワーデバイス（140）で、インバータ回路の下アームが構成される。
【００１４】
また、第４の発明は、
第３の発明の電力変換装置において、
前記第２ベアチップ（11）同士を橋渡しして接続するリードフレーム（80）をさらに備えていることを特徴とする。
【００１５】
この構成では、リードフレーム（80）が、第２ベアチップ（11）のパワーデバイス（140）同士を並列接続する。
【００１６】
また、第５の発明は、
第３の発明の電力変換装置において、さらに、
前記基板（20）上に設けられて、直流電源（110）の負側ノード（N）に繋がる負側パターン配線（40）と、
それぞれの第２ベアチップ（11）を前記負側パターン配線（40）に電気的に接続する複数のボンディングワイヤ（70）と、
を備えていることを特徴とする。
【００１７】
この構成では、直流電源（110）の負側ノード（N）に繋がる負側パターン配線（40）とボンディングワイヤ（70）とによって、第２ベアチップ（11）のパワーデバイス（140）同士が並列接続される。
【００１８】
また、第６の発明は、
第１から第５の発明のうちの何れか１つの電力変換装置において、
前記第２ベアチップ（11）のチップ面積は、前記第１ベアチップ（10）の面積よりも小さいことを特徴とする。
【００１９】
この構成では、２つのベアチップ（10,11）を積層した場合に、第１ベアチップ（10）の上面（第２ベアチップ（11）と対向する側の面）の一部が露出することになる。そして、その露出部分に該第１ベアチップ（10）の電極が位置するようにしておけば、その部分で、該第１ベアチップ（10）に配線を行うことができる。
【００２０】
また、第７の発明は、
第１から第６の発明のうちの何れか１つの電力変換装置において、
前記第１ベアチップ（10）は、窒化ガリウム、炭化ケイ素、及びダイヤモンドのうちの何れかを主材料としていることを特徴とする。
【００２１】
この構成により、第１ベアチップ（10）は、絶縁破壊電界（Eb）×熱伝導率（λ）の値が、シリコンを主材料とした半導体よりも大きくなる。
【００２２】
また、第８の発明は、
第１から第７の発明のうちの何れか１つの電力変換装置において、
前記第２ベアチップ（11）は、絶縁破壊電界（Eb）×熱伝導率（λ）の値が、シリコンよりも大きな半導体を主材料としていることを特徴とする。
【００２３】
この構成では、第２ベアチップ（11）の熱抵抗を、Ｓｉベアチップよりも低減させることが可能になる。
【００２４】
また、第９の発明は、
第８の発明の電力変換装置において、
前記第２ベアチップ（11）は、窒化ガリウム、炭化ケイ素、及びダイヤモンドのうちの何れかを主材料としていることを特徴とする。
【００２５】
この構成により、第２ベアチップ（11）は、絶縁破壊電界（Eb）×熱伝導率（λ）の値が、Ｓｉベアチップよりも大きくなる。
【発明の効果】
【００２６】
第１の発明によれば、第１ベアチップ（10）の熱抵抗を、Ｓｉベアチップよりも低減させることが可能になるので、第１ベアチップ（10）は、電流によって生じた熱を効果的に放出させることができる。すなわち、この発明では、パワーデバイスを構成したベアチップと他のベアチップとを積層し、該パワーデバイスにおいて所定の放熱（排熱）性能を確保することが可能になる。
【００２７】
このように、所定の放熱性能を確保できると、電流によって生じた熱を効果的に放熱させることができ、例えば、シリコンを主材料とするパワーデバイス（Ｓｉベアチップ）を積層した場合よりも、より大きな電流を流すことが可能になる。また、熱によるパワーデバイスの破損も防止できる。
【００２８】
そして、このようにベアチップを積層することで、電力変換装置の小型化、高集積化が実現可能になる。また、積層により、パワーデバイス間の配線長を実質的に短くしてパワーデバイス間のインダクタンスを低減できるので、電力変換装置としての性能向上（例えば高周波ノイズの低減やサージ電圧の低減等）を図ることができる。
【００２９】
また、第２の発明によれば、リードフレーム（60）を２つのベアチップ（10,11）の合わせ面から引き出すことで、両ベアチップ（10,11）の熱を該リードフレーム（60）から放熱させることが可能になる。
【００３０】
また、第３の発明によれば、インバータ回路（電力変換装置）において、パワーデバイス同士を積層することができる。そして、パワーデバイス同士を積層することで、小型化、高集積化が実現可能になるとともに、パワーデバイス間のインダクタンスを低減できるので、電力変換装置としての性能向上（例えば高周波ノイズの低減やサージ電圧の低減等）を図ることが可能になる。
【００３１】
また、第４，５の発明によれば、第１ベアチップ（10）上に積層された第２ベアチップ（11）同士を容易に接続することができる。
【００３２】
また、第６の発明によれば、第１ベアチップ（10）が上面側に電極を有している場合に、その電極に容易に配線することが可能になる。
【００３３】
また、第７の発明によれば、窒化ガリウム、炭化ケイ素、及びダイヤモンドのうちの何れかを主材料として構成された第１ベアチップ（10）によって、上記の各効果を得ることができる。
【００３４】
また、第８の発明によれば、第２ベアチップ（11）の熱抵抗を、Ｓｉベアチップよりも低減させることが可能になるので、電流によって生じた熱を効果的に放熱させることが可能になる。
【００３５】
また、第９の発明によれば、窒化ガリウム、炭化ケイ素、及びダイヤモンドのうちの何れかを主材料として構成された第２ベアチップ（11）によって、上記の各効果を得ることができる。
【図面の簡単な説明】
【００３６】
【図１】本発明の実施形態に係る電力変換装置の構成を示すブロック図である。
【図２】同期整流の基本的な概念を示す図である。
【図３】インバータ回路におけるパワーデバイスの実装状態を模式的に示す側面図である。
【図４】パワーデバイスの実装状態を模式的に示す斜視図である。
【図５】実施形態の変形例１にかかる電力変換装置の構成を模式的に示す斜視図である。
【図６】実施形態の変形例２に係る電力変換装置の構成を模式的に示す側面図である。
【図７】駆動回路の別の搭載例を示す側面図である。
【発明を実施するための形態】
【００３７】
以下、本発明の実施形態について図面を参照しながら説明する。なお、以下の実施形態は、本質的に好ましい例示であって、本発明、その適用物、あるいはその用途の範囲を制限することを意図するものではない。
【００３８】
《実施形態の概要》
図１は、本発明の実施形態に係る電力変換装置の構成を示すブロック図である。この電力変換装置（1）は、交流電源（2）をコンバータ回路（110）によって整流し、その直流をインバータ回路（120）によって三相交流に変換してモータ（3）に供給するものである。このモータ（3）は、例えば、空気調和機の冷媒回路に設けられる圧縮機を駆動するものである。
【００３９】
なお、本明細書でいう「電力変換装置」とは、本実施形態のようにコンバータ回路（110）とインバータ回路（120）の両方を含んだものの他、例えばインバータ回路のみで構成された装置も含む概念である。
【００４０】
また、ベアチップの「積層」とは、ベアチップ同士が直接接するように重ね合わせるほか、２つのベアチップの間に導体（後述のリードフレームなど）、或いは絶縁物などを挟んで重ね合わせる場合も含む概念である。
【００４１】
《インバータ回路（120）》
インバータ回路（120）は、上アームを構成する３つの上アーム側パワーデバイス（130）、下アームを構成する３つの下アーム側パワーデバイス（140）、及び駆動回路（150）を備えている。なお、駆動回路（150）は、図１では記載を省略してある。
【００４２】
-パワーデバイス-
本実施形態のパワーデバイス（130,140）は、それぞれのドレイン・ソース間において双方向の電流を許容するいわゆる双方向スイッチング素子である。そして、これらのパワーデバイス（130,140）は、絶縁破壊電界（Eb）×熱伝導率（λ）の値が、シリコンよりも大きな半導体により形成されている。この点については、後に詳述する。
【００４３】
具体的に本実施形態のパワーデバイス（130,140）は、ワイドバンドギャップ半導体を用いたユニポーラ素子であり、ＳｉＣ  ＭＯＳＦＥＴ（ＳｉＣ：Silicon Carbide，炭化ケイ素）である。ＳｉＣ  ＭＯＳＦＥＴは、ＳｉＣを主材料とした半導体素子であり、ＳｉＣは、絶縁破壊電界（Eb）×熱伝導率（λ）の値が、前記シリコンよりも大きい。そして、それぞれのパワーデバイス（130,140）は縦型構造で形成されており、１つのパワーデバイス（130,140）は、１つのベアチップとして形成されている。このベアチップの一方の面には、ドレイン（131,141）が形成され、もう一方の面にソース（132,142）とゲート（134,144）がそれぞれ形成されている。
【００４４】
以下では、上アーム側パワーデバイス（130）が形成されたベアチップを第１ベアチップ（10）と呼び、下アーム側パワーデバイス（140）が形成されたベアチップを第２ベアチップ（11）と呼ぶことにする。なお、この例では、後に詳述するように、第２ベアチップ（11）のチップ面積は、第１ベアチップ（10）の面積よりも小さく形成されている。
【００４５】
-駆動回路-
駆動回路（150）は、パワーデバイス（130,140）毎、すなわちベアチップ（10,11）毎に設けられている。それぞれの駆動回路（150）は、対応したパワーデバイス（130,140）のゲート（134,144）に所定の電圧を印加してオンオフを制御するようになっている。この駆動回路（150）もベアチップ（第３ベアチップ（12））として形成されており、その第３ベアチップ（12）内には、複数のトランジスタ等が形成されている。
【００４６】
-インバータ回路（120）の概略動作-
上記インバータ回路（120）では、６個のパワーデバイス（130,140）の逆導通特性を利用し、同期整流を行うようになっている。図２は、同期整流の基本的な概念を示す図である。同期整流とは、図２に示すように、寄生ダイオード（133,143）に逆方向電流が流れる際に、パワーデバイス（130,140）をオンにし、該パワーデバイス（130,140）側に逆方向電流を流す制御方法である。これにより逆方向電流が流れた際の導通損失を低減できる。
【００４７】
《パワーデバイス等の実装》
-概要-
本実施形態では、インバータ回路（120）は、絶縁基板（20）上に形成され、コンバータ回路（110）や駆動回路（150）とともに、所定のパッケージ（図示は省略）に収容されてパワーモジュールを構成している。
【００４８】
図３は、インバータ回路（120）におけるパワーデバイス（130,140）の実装状態を模式的に示す側面図である。図３では、一例として、交流の１つの相（例えばＵ相）に対応した部分を示している。また、図４は、パワーデバイス（130,140）の実装状態を模式的に示す斜視図である。これらの図に示すように、各パワーデバイス（130,140）は、絶縁基板（20）上に実装され、電力出力端子（30）を介して交流電力を出力する。このインバータ回路（120）は、三相交流を出力するので、三相交流の各相（Ｕ，Ｖ，Ｗ）に対応した３つの電力出力端子（30）が設けられている。
【００４９】
また、本実施形態のインバータ回路（120）では、各パワーデバイス（130,140）や駆動回路（150）等は、絶縁基板（20）上のパターン配線、ワイヤ配線、及びリードフレームによって電気的に接続されている。具体的には、この絶縁基板（20）には、パターン配線として、負側パターン配線（40）、正側パターン配線（41）、及び駆動回路用パターン配線（42）が設けられている。また、このインバータ回路（120）ではワイヤ配線として、グランド側ワイヤ配線（70）及びゲート用ワイヤ配線（71）がそれぞれ複数設けられ、リードフレームとしては、後述するように電力出力端子（30）を兼ねたリードフレーム（60）が設けられている。以下ではこれらの実装について詳述する。
【００５０】
-パターン配線-
この例では、負側パターン配線（40）は、平面形状が長方形をしていて、絶縁基板（20）上に１つ設けられている。この負側パターン配線（40）の一端は、コンバータ回路（110）（すなわち直流電源）の負側ノード（N）に接続されている（図４等では接続部分の図示を省略している）。
【００５１】
また、正側パターン配線（41）は、図４に示すように、平面形状が長方形をしていて、絶縁基板（20）上に１つのみ設けられている。そして、正側パターン配線（41）の一端は、コンバータ回路（110）の正側ノード（P）に接続されている（この接続部分も図４等では図示を省略している）。なお、正側パターン配線（41）は、本発明の配線部材の一例である。
【００５２】
また、駆動回路用パターン配線（42）は、図３に示すように、負側パターン配線（40）と正側パターン配線（41）との間に配置されて、駆動回路（150）が搭載されている。なお、図４では、駆動回路用パターン配線（42）の図示を省略してある。
【００５３】
なお、図３と図４では、配線部材として正側パターン配線（41）を設けているが、この限りではなく、配線部材としてヒートスプレッダ（50）等を用いてもよい。
【００５４】
-ベアチップ（パワーデバイス），リードフレーム-
〈１〉上アーム側パワーデバイス（130）
既述の通り、上アーム側パワーデバイス（130）、すなわち第１ベアチップ（10）は３つ設けられている。それぞれの上アーム側パワーデバイス（130）が、交流の各相（Ｕ，Ｖ，Ｗ）に対応している。これらの上アーム側パワーデバイス（130）は、ヒートスプレッダ（50）を介して正側パターン配線（41）に電気的に接続されている。
【００５５】
具体的には、この例では、３つのヒートスプレッダ（50）が正側パターン配線（41）上に設置され、例えば半田付けなどにより、正側パターン配線（41）とそれぞれ電気的に接続されている。そして、各ヒートスプレッダ（50）には、第１ベアチップ（10）が１つずつ搭載されている。より詳しくは、それぞれの第１ベアチップ（10）は、上アーム側パワーデバイス（130）のドレイン（131）側の面をヒートスプレッダ（50）側にして搭載され、該ドレイン（131）側の面がヒートスプレッダ（50）に半田付けされている。これにより、上アーム側パワーデバイス（130）のドレイン（131）とヒートスプレッダ（50）とが電気的に接続される。すなわち、正側パターン配線（41）に搭載されたパワーデバイス（130）同士が電気的に並列接続されることになる。
【００５６】
なお、図４ではヒートスプレッダと正側パターン配線（41）をそれぞれ設けているが、ヒートスプレッダを介さずに正側パターン配線（41）に第１ベアチップ（10）を搭載してもよい。また、第１ベアチップ（10）ごとにヒートスプレッダ（50）を設けているが、ひとつのヒートスプレッダ（50）上に複数個の第１ベアチップ（10）を搭載してもよい。ひとつのヒートスプレッダ（50）上に全ての第１ベアチップ（10）を搭載すれば、ヒートスプレッダ（50）を配線部材として用いることができるので、正側パターン配線（41）を省いてもよい。
【００５７】
〈２〉リードフレーム
リードフレーム（60）は、図３に示すように、側面形状が概ねクランク状に形成された導電性の部材であり、第１ベアチップ（10）毎に設けられている。それぞれのリードフレーム（60）は、その一端が、対応した第１ベアチップ（10）の上面（ヒートスプレッダ（50）とは反対側の面）にある、上アーム側パワーデバイス（130）のソース（132）に半田付けされている。この場合、リードフレーム（60）は、第１ベアチップ（10）の上面に形成されているゲート（134）とは電気的に繋がらないように、ゲート（134）の部分を避けて取り付けられている（図３を参照）。
【００５８】
また、リードフレーム（60）は、図３や図４に示すように、他の一端が絶縁基板（20）上のパターン配線に半田付けされており、その部分が電力出力端子（30）として機能するようになっている。なお、それぞれの電力出力端子（30）は、ボンディングワイヤなどで、前記パッケージに設けられた端子等と電気的に接続されている。
【００５９】
〈３〉下アーム側パワーデバイス（140）
下アーム側パワーデバイス（140）、すなわち第２ベアチップ（11）は、第１ベアチップ（10）上に積層されている。具体的には、１つの第１ベアチップ（10）に対し、１つの第２ベアチップ（11）が、リードフレーム（60）を挟んで、該第１ベアチップ（10）上に積層されている。より詳しくは、このインバータ回路（120）では、下アーム側パワーデバイス（140）のドレイン（141）側の面がリードフレーム（60）側となるように、第２ベアチップ（11）をリードフレーム（60）に搭載し、該リードフレーム（60）に半田付けしてある。すなわち、下アーム側パワーデバイス（140）のドレイン（141）は、上アーム側パワーデバイス（130）のソース（132）と電気的に直列接続されることになる。なお、第２ベアチップ（11）の上面側には、下アーム側パワーデバイス（140）のソース（142）がある。
【００６０】
-ワイヤ配線-
グランド側ワイヤ配線（70）は、第２ベアチップ（11）毎に設けられている。そして、それぞれのグランド側ワイヤ配線（70）は、第２ベアチップ（11）の上面側にあるソース（142）と、負側パターン配線（40）とを電気的に接続している。
【００６１】
また、ゲート用ワイヤ配線（71）は、それぞれのパワーデバイス（130,140）に対応して設けられ、対応したパワーデバイス（130,140）と所定の駆動回路（150）とを接続している。図３では、上アーム側パワーデバイス（130）と駆動回路（150）とのゲート用ワイヤ配線（71）による接続状態を示している。この図３に示すように、本実施形態では、第２ベアチップ（11）のチップ面積が第１ベアチップ（10）の面積よりも小さく形成されており、第１ベアチップ（10）に第２ベアチップ（11）を積層した状態で、上アーム側パワーデバイス（130）のゲート（134）が、第１ベアチップ（10）上面の露出部分に位置するようになっている。ゲート用ワイヤ配線（71）は、このゲート（134）と、駆動回路（150）の所定のノードとを電気的に接続している。なお、図示は省略しているが、下アーム側パワーデバイス（140）のゲート（144）は、第２ベアチップ（11）の上面に露出しており、ゲート用ワイヤ配線（71）は、このゲート（144）も駆動回路（150）と接続している。
【００６２】
《パワーデバイスの選定条件》
一般的に半導体素子は、その熱抵抗が小さいほど発生した熱を放熱させやすく、この熱抵抗は、半導体素子を構成する材料の熱伝導率（λ）に反比例する。そのため、例えば、熱伝導率（λ）の値が、シリコンよりも大きな半導体で半導体素子を形成すれば熱抵抗を小さくできて、シリコンを主材料とする半導体素子よりも放熱性が向上するとも考えられる。
【００６３】
しかしながら、このように熱伝導率（λ）が大きな半導体材料で半導体素子を形成したとしても、例えば使用電圧（耐圧）等の要件から半導体素子を形成するベアチップの厚さが大きくなって、結果的に熱抵抗が大きくなる可能性もある。つまり、半導体素子の使用条件等によっては、十分に熱抵抗を下げる設計ができるとは限らないのである。したがって、単に熱伝導率（λ）が大きな半導体材料を選択して半導体素子を形成するだけでは、半導体素子の放熱性向上を十分に図れない場合がある。
【００６４】
一方、縦型構造の半導体素子の耐圧は、一般的には絶縁破壊電界（Eb）と空乏層幅との積に比例する。すなわち、絶縁破壊電界（Eb）の値が十分大きければ、空乏層幅を小さくできる。つまり、絶縁破壊電界（Eb）の値が大きければ大きいほど、同耐圧の半導体素子と比べ、半導体素子を形成するベアチップの厚みを薄くすることができるのである。そして、半導体素子の熱抵抗はベアチップの厚みに比例するので、ベアチップを薄くできれば熱抵抗を小さくすることが可能になる。すなわち、縦型構造の半導体素子の熱抵抗は、実質的には、絶縁破壊電界（Eb）に反比例すると考えてよい。
【００６５】
しかしながら、例えば、絶縁破壊電界（Eb）の値がシリコンより大きな半導体を選択しても、その材料の熱伝導率（λ）が小さいと、やはり熱抵抗を十分に下げることができるとは限らない。すなわち、単に絶縁破壊電界（Eb）が大きな半導体材料を選択して半導体素子を形成するだけでは、半導体素子の放熱性向上を十分に図れない場合がある。
【００６６】
《本実施形態における効果》
上記の点を見出した本願発明者は、絶縁破壊電界（Eb）×熱伝導率（λ）という新たな指標を導入し、その指標がシリコンよりも大きな半導体で、上アーム側及び下アーム側パワーデバイス（130,140）を形成した。
【００６７】
このようにすることで、本実施形態の電力変換装置では、熱伝導率（λ）の値が小さくても絶縁破壊電界（Eb）の値が所定以上の材料が第１ベアチップ（10）に採用されることになるので、該第１ベアチップ（10）を十分に薄くすることができる。それゆえ、Ｓｉベアチップよりも熱抵抗を小さくすることが可能になる。逆に絶縁破壊電界（Eb）の値が小さくても熱伝導率（λ）の値が所定以上の材料が第１ベアチップ（10）に採用されることになる。そのため、例えば耐圧を確保するために第１ベアチップ（10）を厚くしても、やはり、Ｓｉベアチップよりも熱抵抗を小さくすることが可能になる。
【００６８】
したがって、本実施形態によれば、Ｓｉベアチップと比べて、熱抵抗を低減させたパワーデバイス（ベアチップ）を構成することが可能になる。すなわち、本実施形態では、上アーム側パワーデバイス（130）を構成した第１ベアチップ（10）と第２ベアチップ（11）とを積層し、該上アーム側パワーデバイス（130）において所定の放熱（排熱）性能を確保することが可能になる。
【００６９】
これにより、本実施形態の第１ベアチップ（10）は、電流によって生じた熱を効果的に放熱させることができ、その結果、Ｓｉベアチップよりもより大きな電流を流すことが可能になる。また、熱によるパワーデバイス（130,140）等の破損も防止できる。
【００７０】
そして、このようにベアチップ（10,11）同士を積層することで、小型化、高集積化が実現可能になるとともに、パワーデバイス（130,140）間のインダクタンスを低減できるので、電力変換装置としての性能向上（例えば高周波ノイズの低減やサージ電圧の低減等）を図ることができる。
【００７１】
また、本実施形態では、積層した２つのベアチップ（10,11）（パワーデバイス）の間にリードフレーム（60）を挟んで、そのリードフレーム（60）を電力出力端子（30）として両ベアチップ（10,11）の合わせ面から引き出している。そのため、本実施形態では両ベアチップ（10,11）の熱をリードフレーム（60）から放熱させることが可能になる。
【００７２】
また、第２ベアチップ（11）として下アーム側パワーデバイス（140）を積層した場合、第１ベアチップ（10）の熱抵抗が低いため、下アーム側パワーデバイス（140）のヒートスプレッダが不要となり、部品点数や工数の削減およびコストダウンが可能となる。
【００７３】
《本実施形態の変形例１》
図５は、実施形態の変形例１にかかる電力変換装置の構成を模式的に示す斜視図である。この例では、上記実施形態のようにグランド側ワイヤ配線（70）と負側パターン配線（40）を用いて下アーム側パワーデバイス（140）同士を並列接続する代わりに、リードフレーム（80）を用いて、各下アーム側パワーデバイス（140）のソース（142）同士を並列接続している。このリードフレーム（80）は、例えばボンディングワイヤ（図示は省略）により、コンバータ回路（110）の負側ノード（N）に接続されている。
【００７４】
このようにすることで、負側パターン配線（40）が不要になり、さらなる小型化、高集積化を図ることができる。
【００７５】
《本実施形態の変形例２》
第１ベアチップ（10）上に積層する素子は、パワーデバイスに限らない。例えば、図６は、実施形態の変形例２に係る電力変換装置の構成を模式的に示す側面図である。この例では、第１ベアチップ（10）の上に、第２ベアチップ（11）として駆動回路（150）を積層している。
【００７６】
図６の例では、駆動回路（150）が第１ベアチップ（10）に直接接するように積層されており、この接触部分で駆動回路（150）の所定のノード（151）と、上アーム側パワーデバイス（130）のソース（132）とが電気的に接続されている。また、この例では、駆動回路（150）の上面側（第１ベアチップ（10）とは反対側の面）にはゲート用ワイヤ配線（71）が接続されており、このゲート用ワイヤ配線（71）は、上アーム側パワーデバイス（130）のゲート（134）に接続されている。
【００７７】
また、図７は、駆動回路（150）の別の搭載例を示す側面図である。図７の例では、絶縁部材（81）を挟んで、第１ベアチップ（10）と駆動回路（150）とを積層している。この例では、上アーム側パワーデバイス（130）のソース（132）と駆動回路（150）のノード（151）とは、ソース用ワイヤ配線（82）によって接続されている。
【００７８】
なお、これらの搭載例は、駆動回路（150）以外の回路（素子）が形成されたベアチップにも応用できる。例えば、第２ベアチップ（11）にパワーデバイス（例えば下アーム側パワーデバイス（140））が形成されている場合にも適用できる。
【００７９】
《その他の実施形態》
〈１〉なお、上記のパワーデバイス（130,140）には、ＳｉＣを主材料とした半導体の他にも、窒化ガリウム（ＧａＮ）、あるいはダイヤモンド（Ｃ）等を主材料とした半導体で形成されたものを用いることが可能である。これらの材料も、絶縁破壊電界（Eb）×熱伝導率（λ）の値が、シリコンよりも大きな半導体である。
【００８０】
〈２〉また、第１ベアチップ（10）のみを、絶縁破壊電界（Eb）×熱伝導率（λ）の値がシリコンよりも大きな半導体で構成し、第２ベアチップ（11）は、この指標を満たさない材料（例えばシリコン）で構成することも可能である。これは、第２ベアチップ（11）はその上面が開放されていて、放熱の点では第１ベアチップ（10）よりも有利だからである。例えば、上記変形例２の例のように、駆動回路（150）のような発熱量が比較的小さい回路が第２ベアチップ（11）に形成されている場合などには、第２ベアチップ（11）をＳｉベアチップで構成できる可能性が大きい。
【００８１】
〈３〉また、第１ベアチップ（10）には、複数の第２ベアチップ（11）を搭載してもよい。
【００８２】
〈４〉また、上記の実施形態や変形例は、インバータ回路以外の電力変換装置、例えばマトリクスコンバータやチョッパなどにも応用することが可能である。
【００８３】
〈５〉また、上アーム側パワーデバイス（130）のゲート（134）は、必ずしも、ワイヤ配線が接続できるように露出していなくてもよい。例えば、第１ベアチップ（10）と第２ベアチップ（11）が同じ大きさで、上アーム側パワーデバイス（130）のゲート（134）が第２ベアチップ（11）の下側に隠れるような場合には、このゲート（134）への接続は、前記リードフレーム（60）とは別のリードフレームを、第１ベアチップ（10）と第２ベアチップ（11）の間に設けてゲート（134）との接続を行うとよい。
【００８４】
〈６〉また、上記の電力変換装置（1）では、交流電源（2）を単相交流としているが、三相交流電源を用いてもよい。
【産業上の利用可能性】
【００８５】
本発明は、直流電力又は交流電力から所望の直流電力又は交流電力への変換を行う電力変換装置として有用である。
【符号の説明】
【００８６】
１      電力変換装置
１０      第１ベアチップ
１１      第２ベアチップ
２０      絶縁基板（基板）
４０      負側パターン配線
４１      正側パターン配線（配線部材）
５０      ヒートスプレッダ
６０      リードフレーム
７０      グランド側ワイヤ配線(ボンディングワイヤ)
８０      リードフレーム
１１０      コンバータ回路(直流電源)
１３０      上アーム側パワーデバイス(パワーデバイス)
１４０      下アーム側パワーデバイス(パワーデバイス)
【図１】
2011036017.tif 000003
【図２】
2011036017.tif 000004
【図３】
2011036017.tif 000005
【図４】
2011036017.tif 000006
【図５】
2011036017.tif 000007
【図６】
2011036017.tif 000008
【図７】
2011036017.tif 000009